(57)【要約】【課題】取付誤差や蛍光灯の熱膨張を可撓部が変形することで吸収するようにしたバックライト用ソケットにおいて、蛍光灯を取り外す際に可撓部が過大に変形して塑性変形してしまうことを防止する。【解決手段】蛍光灯３０を弾性的に挟持又は解放する蛍光灯着脱部５０ａと、回路基板４０に装着される基板固定部５０ｂと、基板固定部５０ｂと蛍光灯着脱部５０ａとの間に設けられた可撓部５５とを備えたバックライト用ソケット５０であって、蛍光灯着脱部５０ａが、基板固定部５０ｂに対し、回路基板４０と平行な面内にて蛍光灯３０の軸線Ｘ３と直交する横方向（Ｙ方向）の移動量を制限するための横方向制限部１００を有し、基板固定部５０ｂが、横方向制限部１００に対し、横方向に所定の横方向隙間ＣＹを隔てて配設された横方向当接部１１０を有し、蛍光灯着脱部５０ａの基板固定部５０ｂに対する横方向の移動量が、横方向隙間ＣＹの長さに制限されたもの。【選択図】図３
2010021107.tif 000002
【特許請求の範囲】
【請求項１】
回路基板に実装され、バックライトとしての蛍光灯が着脱されるバックライト用ソケットであって、
蛍光灯を弾性的に挟持又は解放する蛍光灯着脱部と、
回路基板に装着される基板固定部と、
該基板固定部と上記蛍光灯着脱部との間に設けられた可撓部とを備え、
上記蛍光灯着脱部が、上記基板固定部に対し、上記回路基板と平行な面内にて上記蛍光灯の軸線と直交する横方向の移動量を制限するための横方向制限部を有し、
上記基板固定部が、上記横方向制限部に対し、上記横方向に所定の横方向隙間を隔てて配設された横方向当接部を有し、
上記蛍光灯着脱部が、上記基板固定部に対して上記横方向に上記横方向隙間の長さ移動したとき上記横方向制限部が上記横方向当接部に当接し、それ以上の移動が制限される
ことを特徴とするバックライト用ソケット。
【請求項２】
回路基板に実装され、バックライトとしての蛍光灯が着脱されるバックライト用ソケットであって、
蛍光灯を弾性的に挟持又は解放する蛍光灯着脱部と、
回路基板に装着される基板固定部と、
該基板固定部と上記蛍光灯着脱部との間に設けられた可撓部とを備え、
上記蛍光灯着脱部が、上記基板固定部に対し、上記回路基板と平行な面内にて上記蛍光灯の軸線に沿った縦方向の移動量を制限するための縦方向制限部を有し、
上記基板固定部が、上記縦方向制限部に対し、上記縦方向に所定の縦方向隙間を隔てて配設された縦方向当接部を有し、
上記蛍光灯着脱部が、上記基板固定部に対して上記縦方向に上記縦方向隙間の長さ移動したとき上記縦方向制限部が上記縦方向当接部に当接し、それ以上の移動が制限される
ことを特徴とするバックライト用ソケット。
【請求項３】
回路基板に実装され、バックライトとしての蛍光灯が着脱されるバックライト用ソケットであって、
蛍光灯を弾性的に挟持又は解放する蛍光灯着脱部と、
回路基板に装着される基板固定部と、
該基板固定部と上記蛍光灯着脱部との間に設けられた可撓部とを備え、
上記蛍光灯着脱部が、上記基板固定部に対し、上記回路基板と平行な面内にて上記蛍光灯の軸線と直交する横方向の移動量を制限するための横方向制限部と、上記回路基板と平行な面内にて上記蛍光灯の軸線に沿った縦方向の移動量を制限するための縦方向制限部と、上記回路基板に垂直な高さ方向の移動量を制限するための高さ方向制限部とを有し、
上記基板固定部が、上記横方向制限部に対して上記横方向に所定の横方向隙間を隔てて配設された横方向当接部と、上記縦方向制限部に対して上記縦方向に所定の縦方向隙間を隔てて配設された縦方向当接部と、上記高さ方向制限部に対して上記高さ方向に所定の高さ方向隙間を隔てて配設された高さ方向当接部とを有し、
上記蛍光灯着脱部が、上記蛍光灯の下方に位置する基部から上記横方向に延出された部分を有し、該部分に、上記横方向制限部、縦方向制限部及び高さ方向制限部が配設され、  上記基板固定部が、上記回路基板に装着される複数のリード部を連結する連結部を有し、該連結部に、上記横方向当接部、縦方向当接部及び高さ方向当接部が配設された
ことを特徴とするバックライト用ソケット。
【発明の詳細な説明】
【技術分野】
【０００１】
本発明は、液晶ディスプレイ等に備えられるバックライト用ソケットに関するものである。
【背景技術】
【０００２】
例えば、液晶テレビに用いられる液晶ディスプレイは、拡散板、光学シート等からなる光学部材と反射板との間に、その光学部材を照射するバックライトとして複数の蛍光灯が平行に近接して配設された構成となっている。
【０００３】
この蛍光灯は、そのガラス管の直径が１．８ｍｍ、２．０ｍｍ、２．２ｍｍ、２．６ｍｍ・・・５．０ｍｍと言った極細のもので、且つ同ガラス管の両端部を夫々覆うように金属管状の電極を配して成る。この蛍光灯は、両端部の電極が回路基板に取り付けられた一対のバックライト用ソケット（以下ソケット）に嵌め込まれて保持され、導通される（特許文献１参照）。
【０００４】
特許文献１に記載された発明によれば、回路基板に取り付けられた一対のソケット（文献１における導電性クリップ２１０）に蛍光灯を嵌め込むだけで、液晶ディスプレイに蛍光灯を的確に且つ容易にセットすることができるので、液晶ディスプレイの生産性を高めることができる。
【０００５】
【特許文献１】特開２００６−３５１５２７号公報
【発明の開示】
【発明が解決しようとする課題】
【０００６】
ところで、特許文献１に記載されたソケットは、蛍光灯の電極が嵌め込まれる部分が回路基板にしっかりと固定される構造となっており、嵌め込まれた蛍光灯が回路基板に対して殆ど移動できない構造となっている。
【０００７】
このため、回路基板に取り付けられた一対のソケット同士の軸線がずれている場合、それらソケットに嵌め込まれて支持される蛍光灯に曲げが加わり、蛍光灯に応力が作用してしまう。また、蛍光灯が点灯して発熱して膨張した場合も、蛍光灯の電極がソケットにしっかりと保持されているためその逃げ場がなく、この熱膨張による応力も蛍光灯に作用してしまう。これらの応力により、上述のように極細で脆弱なガラス管から成る蛍光灯が破損する可能性がある。殊に、大型テレビ用の液晶ディスプレイにあっては、その直径に比して非常に長尺の蛍光灯を採用することになり、上記軸線のずれ並びに熱膨張の影響が増幅されることから、蛍光灯の破損の可能性が高まる。
【０００８】
この対策として、本発明者は、ソケットを、蛍光灯を弾性的に挟持又は解放する蛍光灯着脱部と、回路基板に装着固定される基板固定部と、この基板固定部と上記蛍光灯着脱部との間に設けられた可撓部とから構成し、基板固定部を回路基板に装着固定した状態で、蛍光灯着脱部に蛍光灯を挟持させるようにしたバックライト用ソケットを創案した。このバックライト用ソケットによれば、蛍光灯着脱部が可撓部を介して基板固定部に移動可能に支持（フローティング支持）されているため、基板固定部を回路基板に固定し、蛍光灯着脱部に蛍光灯を挟持した状態において、回路基板に対する蛍光灯の移動が、可撓部が適宜変形することで許容される。よって、上述した対となるソケット同士の軸線のずれや蛍光灯の熱膨張を吸収できる。
【０００９】
しかし乍ら、このバックライト用ソケットにおいては、蛍光灯着脱部に弾性的に挟持された蛍光灯を取り外す際に、その取り外し力が可撓部に集中し、可撓部が変形してしまう。例えば、蛍光灯を回路基板の垂直方向に対して斜めの方向に移動させて蛍光灯着脱部から取り外すと、可撓部は、回路基板に対する垂直方向に変形するのみならず、回路基板と平行な面内にて蛍光灯の軸線と直交する方向（横方向）及び蛍光灯の軸線に沿った方向（縦方向）にも変形する。そして、これらの方向における可撓部の変形量が過大になると、可撓部が塑性変形してしまい、蛍光灯を支持する位置がずれてしまうという問題が生じる。
【００１０】
以上の事情を鑑みて創案された本発明の目的は、取付誤差や蛍光灯の熱膨張を可撓部が変形することで吸収するようにしたバックライト用ソケットにおいて、蛍光灯を取り外す際に可撓部が過大に変形して塑性変形してしまうことを防止したバックライト用ソケットを提供することにある。
【課題を解決するための手段】
【００１１】
請求項１に係る発明は、回路基板に実装され、バックライトとしての蛍光灯が着脱されるバックライト用ソケットであって、蛍光灯を弾性的に挟持又は解放する蛍光灯着脱部と、回路基板に装着される基板固定部と、該基板固定部と上記蛍光灯着脱部との間に設けられた可撓部とを備え、上記蛍光灯着脱部が、上記基板固定部に対し、上記回路基板と平行な面内にて上記蛍光灯の軸線と直交する横方向の移動量を制限するための横方向制限部を有し、上記基板固定部が、上記横方向制限部に対し、上記横方向に所定の横方向隙間を隔てて配設された横方向当接部を有し、上記蛍光灯着脱部が、上記基板固定部に対して上記横方向に上記横方向隙間の長さ移動したとき上記横方向制限部が上記横方向当接部に当接し、それ以上の移動が制限されるものである。
【００１２】
請求項２に係る発明は、回路基板に実装され、バックライトとしての蛍光灯が着脱されるバックライト用ソケットであって、蛍光灯を弾性的に挟持又は解放する蛍光灯着脱部と、回路基板に装着される基板固定部と、該基板固定部と上記蛍光灯着脱部との間に設けられた可撓部とを備え、上記蛍光灯着脱部が、上記基板固定部に対し、上記回路基板と平行な面内にて上記蛍光灯の軸線に沿った縦方向の移動量を制限するための縦方向制限部を有し、上記基板固定部が、上記縦方向制限部に対し、上記縦方向に所定の縦方向隙間を隔てて配設された縦方向当接部を有し、上記蛍光灯着脱部が、上記基板固定部に対して上記縦方向に上記縦方向隙間の長さ移動したとき上記縦方向制限部が上記縦方向当接部に当接し、それ以上の移動が制限されるものである。
【００１３】
請求項３に係る発明は、回路基板に実装され、バックライトとしての蛍光灯が着脱されるバックライト用ソケットであって、蛍光灯を弾性的に挟持又は解放する蛍光灯着脱部と、回路基板に装着される基板固定部と、該基板固定部と上記蛍光灯着脱部との間に設けられた可撓部とを備え、上記蛍光灯着脱部が、上記基板固定部に対し、上記回路基板と平行な面内にて上記蛍光灯の軸線と直交する横方向の移動量を制限するための横方向制限部と、上記回路基板と平行な面内にて上記蛍光灯の軸線に沿った縦方向の移動量を制限するための縦方向制限部と、上記回路基板に垂直な高さ方向の移動量を制限するための高さ方向制限部とを有し、上記基板固定部が、上記横方向制限部に対して上記横方向に所定の横方向隙間を隔てて配設された横方向当接部と、上記縦方向制限部に対して上記縦方向に所定の縦方向隙間を隔てて配設された縦方向当接部と、上記高さ方向制限部に対して上記高さ方向に所定の高さ方向隙間を隔てて配設された高さ方向当接部とを有し、上記蛍光灯着脱部が、上記蛍光灯の下方に位置する基部から上記横方向に延出された部分を有し、該部分に、上記横方向制限部、縦方向制限部及び高さ方向制限部が配設され、上記基板固定部が、上記回路基板に装着される複数のリード部を連結する連結部を有し、該連結部に、上記横方向当接部、縦方向当接部及び高さ方向当接部が配設されたものである。
【発明の効果】
【００１４】
本発明によれば、取付誤差や蛍光灯の熱膨張を可撓部が変形することで吸収するようにしたバックライト用ソケットにおいて、蛍光灯を取り外す際に可撓部が過大に変形して塑性変形してしまうことを防止できる。
【発明を実施するための最良の形態】
【００１５】
以下、本発明の好適実施形態を添付図面に基づいて説明する。
【００１６】
図１は、液晶ディスプレイの光学部材（図示しない拡散板、光学シート等からなる）の背面辺りを示す模型的斜視図である。
【００１７】
１０は反射板、３０はバックライトとしての蛍光灯、４０は回路基板、５０はバックライト用ソケット（以下ソケット）を示す。回路基板４０は矩形状に形成されており、その両端部にソケット５０が夫々十個ずつ計十対配設されている。これらソケット５０には、蛍光灯３０が十本架け渡されてセットされ、これら蛍光灯３０と対向する回路基板４０の表面には反射板１０が取り付けられている。図１では右側の二本の蛍光灯３０は省略されている。
【００１８】
本実施形態ではソケット５０が十対でそこに十本の蛍光灯３０がセットされる例を示したが、それらの数は液晶ディスプレイの大きさ等によって必要数量が決まって来るものであり、十対及び十本に限定されない。また、回路基板４０の両端部に配設されたソケット５０は、通常、一端側のものが電源に連なり、他端側のものがアースされるが、ここでは詳しい説明は省略する。
【００１９】
図２は、ソケット５０に蛍光灯３０をセットした状態を示す拡大斜視図である。図中、Ｘは回路基板４０と平行な面内にて蛍光灯３０の軸線に沿った方向（縦方向）、Ｙは回路基板４０と平行な面内にて蛍光灯３０の軸線と直交する方向（横方向）、Ｚは回路基板４０に対して垂直な方向（高さ方向）である。
【００２０】
蛍光灯３０は、ガラス製の細長い管部３１と、その両端にはめ込まれた管状の外部電極３２（金属製）とを有しており、各外部電極３２がソケット５０の保持部５１に弾性的に挟持されている。
【００２１】
一対のソケット５０は、設計的には、一方のソケット５０の軸線Ｘ１と他方のソケット５０の軸線Ｘ２とがほぼ一致するように、回路基板４０に取り付けられている。但し、製造上の誤差等の理由により軸線Ｘ１、Ｘ２が或る程度以上にずれることも考えられ、その場合、軸線Ｘ１、Ｘ２のずれがソケット５０の可撓部５５で吸収される状況については後述する。
【００２２】
図３は、ソケット５０単体の斜視図、図４は、ソケット５０を成形すべく打ち抜かれた薄い金属製の板Ｋを示す斜視図である。
【００２３】
ソケット５０は、蛍光灯３０を弾性的に挟持又は解放する保持部５１を有する蛍光灯着脱部５０ａと、回路基板４０に装着されるリード部５２を有する基板固定部５０ｂと、基板固定部５０ｂと蛍光灯着脱部５０ａとの間に設けられた可撓部５５とを備えている。
【００２４】
蛍光灯着脱部５０ａは、基部５４と、基部５４から高さ方向（Ｚ方向）に延出された保持部５１と、基部５４から横方向（Ｙ方向）に延出された部分に配設された高さ方向制限部５６とを備えている。
【００２５】
基部５４はＸＹ平面と平行な板体からなる。基部５４には、その横方向の両側にスリットＳを介して２葉づつ計４葉形成された保持片５１Ｈから成る保持部５１が設けられている。各保持片５１Ｈは、蛍光灯３０の外部電極３２の曲率に対応する曲率の抱き込み部５１Ｄ、これと逆の方向に湾曲した誘い込み部５１Ｙ、その先端の自由端５１Ｊ等を有し、保持部５１は、全体として、あたかも文字Ωを倒立させた如き形状となっている。
【００２６】
なお、前記軸線Ｘ１、Ｘ２は、狭義にとらえると、この抱き込み部５１Ｄの曲率中心を通る線ということができる。
【００２７】
基部５４の縦方向（Ｘ方向）の一端には、高さ方向（Ｚ方向）に延出された２本のストッパ５７が設けられ、ストッパ５７の先端には、外方に屈曲されたガイド部５７Ｇが形成されている。このストッパ５７により、蛍光灯３０の外部電極３２を保持部５１に嵌め込む際、蛍光灯３０の端面３３（図２参照）がガイド部５７Ｇに当接されてストッパ５７に沿って案内され、蛍光灯３０の縦方向の位置決めがなされる。
【００２８】
基部５４には、縦方向に間隔を隔てて高さ方向に延出された突き当て部５８が設けられている。突き当て部５８には、蛍光灯３０の外部電極３２を保持部５１に嵌め込む際、外部電極３２が当接され、これにより嵌め込み深さが過度に大きくなることが防止される。
【００２９】
基部５４には、上述したように高さ方向制限部５６が設けられている。詳しくは、基部５４は、その縦方向（Ｘ方向）の両端部に、夫々横方向（Ｙ方向）に延出された部分を計４片有し、それらの部分の上面が高さ方向制限部５６となっている。高さ方向制限部５６と基部５４の上面とは同一平面に配設されている。高さ方向制限部５６の機能については後述する。
【００３０】
他方、前記基板固定部５０ｂは、縦方向に間隔が隔てられた複数のリード部５２と、これらリード部５２を連結する連結部５３とを有する。なお、リード部５２は、基部５４の片側にて１個でもよく、連結部５３を省略してリード部５２に直接可撓部５５を接続してもよい。
【００３１】
基板固定部５０ｂは、ソケット５０を回路基板４０に実装したとき、基部５４と回路基板４０との間に第１高さ方向隙間Ｃ１を形成するためのスペーサー部５２Ｔを有する。スペーサー部５２Ｔは、本実施形態ではリード部５２に備えられた立上部から成るが、この構成に限られることはない。すなわち、スペーサー部５２Ｔは、基部５４と回路基板４０との間に第１高さ方向隙間Ｃ１を形成できれば足り、リード部５２と可撓部５５との間に設けられても、可撓部５５の一部であってもよい。
【００３２】
各スペーサー部５２Ｔは、本実施形態では、基部５４が回路基板４０に対して平行となるように、長さが揃えられている。但し、対となるソケット５０の軸線Ｘ１、Ｘ２の方向が一致するのであればそれらソケット５０の基部５４と回路基板４０とは必ずしも平行である必要はなく、その場合、各スペーサー部５２Ｔの長さが全ては揃わないことになる。
【００３３】
連結部５３は、その両端部から縦方向に夫々延出された部分を有し、それらの部分の下面が、高さ方向当接部５９となっている。高さ方向当接部５９は、高さ方向制限部５６に対して、高さ方向（Ｚ方向）に第２高さ方向隙間Ｃ２（請求項３の高さ方向隙間に相当）を隔てて配設されている。なお、連結部５３を省略した場合、高さ方向当接部５９は、スペーサー部５２Ｔに繋げて、連結部５３のあった位置に配設される。
【００３４】
上記第１高さ方向隙間Ｃ１、第２高さ方向隙間Ｃ２は、後述するように、基板固定部５０ｂに対して蛍光灯着脱部５０ａが高さ方向に移動したとき、可撓部５５の変形量が塑性変形に至らないように設定される。第１高さ方向隙間Ｃ１と第２高さ方向隙間Ｃ２とは同等であってもよい。
【００３５】
上述したように、図３に示す蛍光灯着脱部５０ａは、基板固定部５０ｂに対し、回路基板４０から垂直に離間する方向（高さ方向：Ｚ方向）の移動量を制限するための高さ方向制限部５６を有し、基板固定部５０ｂは、高さ方向制限部５６に対し、高さ方向に所定の第２高さ方向隙間Ｃ２を隔てて配設された高さ方向当接部５９を有する。そして、蛍光灯着脱部５０ａが、基板固定部５０ｂに対して高さ方向に上記第２高さ方向隙間Ｃ２の長さ移動したとき、高さ方向制限部５６が高さ方向当接部５９に当接し、それ以上の移動が制限されるようになっている。
【００３６】
また、蛍光灯着脱部５０ａは、基板固定部５０ｂに対し、回路基板４０と平行な面内（ＸＹ面内）にて蛍光灯３０の軸線と直交する横方向（Ｙ方向）の移動量を制限するための横方向制限部１００を有し、基板固定部５０ｂは、横方向制限部１００に対し、横方向に所定の横方向隙間ＣＹを隔てて配設された横方向当接部１１０を有する。そして、蛍光灯着脱部５０ａが、基板固定部５０ｂに対して横方向に横方向隙間ＣＹの長さ移動したとき横方向制限部１００が横方向当接部１１０に当接し、それ以上の移動が制限されるようになっている。
【００３７】
横方向制限部１００は、基部５４から横方向に延出された部分（上面が高さ方向制限部５６となる部分）を高さ方向に折り曲げ、その折り曲げた部分の幅方向内面からなる。横方向当接部１１０は、連結部５３の両端部から縦方向（Ｘ方向）に延設された部分の幅方向外面からなる。これら横方向制限部１００と横方向当接部１１０との間の距離、即ち横方向隙間ＣＹは、蛍光灯着脱部５０ａが基板固定部５０ｂに対して横方向に移動したとき、可撓部５５の変形量が塑性変形に至らないように設定される。
【００３８】
また、蛍光灯着脱部５０ａは、基板固定部５０ｂに対し、回路基板４０と平行な面内（ＸＹ面内）にて蛍光灯３０の軸線に沿った縦方向（Ｘ方向）の移動量を制限するための縦方向制限部２００を有し、基板固定部５０ｂは、縦方向制限部２００に対し、縦方向に所定の縦方向隙間ＣＴを隔てて配設された縦方向当接部２１０を有する。そして、蛍光灯着脱部５０ａが、基板固定部５０ｂに対して縦方向に縦方向隙ＣＴの長さ移動したとき縦方向制限部２００が縦方向当接部２１０に当接し、それ以上の移動が制限されるようになっている。
【００３９】
縦方向制限部２００は、基部５４から横方向に延出された部分（上面が高さ方向制限部５６となる部分）の、縦方向における外側縁面からなる。縦方向当接部２１０は、連結部５３の両端部から縦方向に延設された部分から高さ方向下方に延設された部分の、縦方向における内側縁面からなる。これら縦方向制限部２００と縦方向当接部２１０との間の距離、即ち縦方向隙間ＣＴは、蛍光灯着脱部５０ａが基板固定部５０ｂに対して縦方向に移動したとき、可撓部５５の変形量が塑性変形に至らないように設定される。
【００４０】
さて、可撓部５５は、一端が蛍光灯着脱部５０ａの基部５４に、他端が基板固定部５０ｂの連結部５３に接続された逆Ｕ字状（ヘアピン状）の部材からなり、基部５４の横方向両側部に縦方向に間隔を隔てて、計４本、設けられている。可撓部５５は、それ自身が弾性変形することで、基板固定部５０ｂに対して蛍光灯着脱部５０ａが或る程度の範囲で、高さ方向、横方向及び縦方向に移動することを許容する。なお、連結部５３を省略した場合、可撓部５５は、スペーサー部５２Ｔに接続される。
【００４１】
以上の構成からなるソケット５０は、図４に示すように、一枚の金属板を打ち抜き、そこに基部５４に対して横方向に延出させて片持梁状に保持部５１、可撓部５５、高さ方向制限部５６となる部位を成形すると共に、可撓部５５に繋がる連結部５３及びリード部５２となる部位を成形し、このように打ち抜かれた板Ｋを適宜折り曲げて成形される。なお、基部５４の中央の平坦な部分は、ソケット５０を図示しない吸着器で捕捉する際の吸着部Ｆである。
【００４２】
図４に示すように、上記板Ｋにおいて、高さ方向制限部５６となる部位の端部の上面が、高さ方向に折り曲げられて横方向制限部１００となる部分であり（図３参照）、高さ方向制限部５６となる部位の縦方向（Ｘ方向）における外側端面が、縦方向制限部２００となる部分であり、連結部５３の両端から縦方向に延出された部分の横方向（Ｙ方向）における外側端面が、高さ方向当接部５９となる部分であり、連結部５３の両端から縦方向に延出された部分の上面が、横方向当接部１１０となる部分であり、連結部５３の両端から縦方向に延出された部分から更に横方向に延出された部分の、縦方向における内側縁面が、縦方向当接部２１０となる部分である。
【００４３】
斯様な金属製の板Ｋを適宜折り曲げて成形されたソケット５０は、図１に示すように、回路基板４０の両端部に十個ずつ計十対、整列して実装され、電源或いはアースに接続される。詳しくは、これらソケット５０は、対となる一方のソケット５０の軸線Ｘ１とこれと対となる他方のソケット５０の軸線Ｘ２とが一致するように、且つ両方のソケット５０の夫々のストッパ５７に蛍光灯３０の端面３３が適切に当接し得るように、回路基板４０に取り付けられる。
【００４４】
本実施形態の作用を述べる。
【００４５】
ソケット５０に蛍光灯３０を装着するときには、図２、図３に示す保持部５１の誘い込み部５１Ｙの上に蛍光灯３０の外部電極３２を載置し、蛍光灯３０の端面３３をストッパ５７のガイド部５７Ｇに沿わせつつ、外部電極３２を下方に押し込む。すると、保持部５１の保持片５１Ｈが外部電極３２の進入によって弾性的に外側に押し開かれ、外部電極３２が抱き込み部５１Ｄに降下することが許容されて、突き当て部５８に当接するまで降下した後、弾性変形した保持片５１が復元して外部電極３２を抱き込む。こうして、蛍光灯３０の装着が完了する。 
ここで、ソケット５０は、リード部５２により回路基板４０に実装された状態において、基部５４が回路基板４０から第１高さ方向隙間Ｃ１だけ浮いて（離間して）おり、且つ基部５４とリード部５２との間には可撓部５５が設けられている。よって、保持部５１に挟持された蛍光灯３０は、縦方向（Ｘ方向）のみならず、それに直角な横方向（Ｙ方向）や高さ方向（Ｚ方向）にも移動することが可能である。
【００４６】
従って、仮に前記一方のソケット５０の軸線Ｘ１と他方のソケット５０の軸線Ｘ２とが、横方向または高さ方向に若干ずれていても、蛍光灯３０をそれらソケット５０にセットした際、可撓部５５が撓んでこのずれを吸収し、蛍光灯３０にストレスを与えるようなことがない。
【００４７】
また、蛍光灯３０が点灯して熱を発し、それ自身が軸線Ｘ３方向に膨張した場合でも、可撓部５５が縦方向に撓んでこの熱膨張ずれを吸収するため、蛍光灯３０にストレスを与えるようなことがない。
【００４８】
ところで、ソケット５０に蛍光灯３０をセットするときは、保持部５１の誘い込み部５１Ｙを介して抱き込み部５１Ｄに外部電極３２を押し込むことになるところ、この押し込み力により、保持片５１Ｈが弾性変形しつつ可撓部５５も撓むことになる。
【００４９】
ここで、可撓部５５のＺ方向の撓み量が第１高さ方向隙間Ｃ１の長さに達した時点で基部５４の裏面が回路基板４０に当接し、可撓部５５がそれ以上変形することが防止され、同時に、回路基板４０からの反力が生じるので、外部電極３２の押し込み（セット）が達成される。但し、連結部５３の端部から垂下する縦方向当接部２１０を有する部分の先端下面と回路基板４０との隙間を、上記第１高さ方向隙間Ｃ１としてもよい。
【００５０】
この結果、蛍光灯３０のセット時、可撓部５５に過度の撓み（弾性変形を越えて塑性変形に至る撓み）が発生することはなく、可撓部５５の機能が損なわれるようなことはない。可撓部５５が塑性変形してしまうと、対となる一方のソケット５０の軸線Ｘ１と他方のソケット５０の軸線Ｘ２のずれを招いてしまう。
【００５１】
加えて、このソケット５０では、蛍光灯着脱部５０ａの基部５４に突き当て部５８が設けられているので、保持部５１に押し込まれる蛍光灯３０の外部電極３２の下降位置が、突き当て部５８に当接するまでに制限される。よって、外部電極３２が保持片５１Ｈの下部の窄まり部５１Ｓ（図３参照）を押圧して、弾性限界を超えて押し開き、保持片５１Ｈを塑性的に変形させ、前記抱き込み部５１Ｄの曲率や軸線Ｘ１を狂わせてしまうことが防止される。
【００５２】
また、蛍光灯３０をソケット５０にセットする作業は、従来と変わるところがなく、生産性が損なわれない。
【００５３】
次に、ソケット５０から蛍光灯３０を抜き取る場合には、抱き込み部５１Ｄから外部電極３２をＺ方向に引き出すことになり、この引き出し力によって保持片５１Ｈが弾性変形しつつ基部５４が引き上げられて可撓部５５も撓むことになる。
【００５４】
ここで、基部５４のＺ方向の変位量が第２高さ方向隙間Ｃ２の長さに達した時点で高さ方向制限部５６が高さ方向当接部５９に当接し、基部５４のＺ方向のそれ以上の変位が止められ、従って可撓部５６の過度な撓みが阻止され、同時に、上記引き出し力は専ら保持片５１Ｈの押し開き力として作用し、蛍光灯３０の抜き取りが達成される。よって、蛍光灯３０の抜去時、可撓部５５にＺ方向の過度の撓み（弾性変形を越えて塑性変形に至る撓み）が発生することはなく、可撓部５５の機能が損なわれるようなことはない。
【００５５】
仮に、高さ方向制限部５６及び高さ方向当接部５９が存在しないとすると、ソケット５０から蛍光灯３０を抜き取る際に、可撓部５５が上方に引き伸ばされて塑性変形してしまい、軸線Ｘ１が元の位置から上方に変位し、相手方ソケット５０の軸線Ｘ２に対してＺ方向にずれが生じかねないところ、このような問題が高さ方向制限部５６及び高さ方向当接部５９によって未然に防止される。
【００５６】
ソケット５０から蛍光灯３０を抜き取る場合、上述の如き蛍光灯３０を回路基板４０の垂直方向（Ｚ方向）に引き上げることは稀で、通常は斜め上方向に引くことになり、従って基部５４は、Ｚ方向に変位するのみならず、Ｙ方向及びＸ方向にも変位する。
【００５７】
ここで、基部５４のＹ方向（横方向）の変位量が横方向隙間ＣＹの長さに達した時点で横方向制限部１００が横方向当接部１１０に当接し、基部５４の横方向に関するそれ以上の変位の進行が阻止され、蛍光灯３０の適切な抜き取りが達成される。よって、蛍光灯３０の抜去時、可撓部５５に横方向の過度の撓みが発生することはない。
【００５８】
仮に、横方向制限部１００及び横方向当接部１１０が存在しないとすると、ソケット５０から蛍光灯３０を抜き取る際に、抜き取り方向によっては可撓部５５が横方向に引き伸ばされて塑性変形してしまい、軸線Ｘ１が元の位置から横方向に変位し、相手方ソケット５０の軸線Ｘ２に対して横方向にずれが生じかねないところ、このような問題が未然に防止される。
【００５９】
また、基部５４のＸ方向（縦方向）の変位量が縦方向隙間ＣＴの長さに達した時点で縦方向制限部２００が縦方向当接部２１０に当接し、基部５４の縦方向に関するそれ以上の変位の進行が阻止され、蛍光灯３０の適切な抜き取りが達成される。よって、蛍光灯３０の抜去時、可撓部５５に縦方向の過度の撓みが発生することはない。
【００６０】
仮に、縦方向制限部２００及び縦方向当接部２１０が存在しないとすると、ソケット５０から蛍光灯３０を斜めに抜き取る際に、可撓部５５が縦方向に引き伸ばされて塑性変形してしまうところ、このような問題が未然に防止される。
【００６１】
また、本実施形態に係るソケット５０は、薄い金属製の板Ｋを打ち抜き、それを折り曲げる等して立体形成したので、複数の構成部品を別途に用意してそれらを組み立てるような煩雑な生産工程がなく、容易に低コストで製造できる。よって、非常に廉価なソケット５０を提供することができる。
【００６２】
さらに、図４中、記号Ｆで示す前記基部５４の中央部位は、ソケット５０（半完成品を含む）を吸着器で捕捉する際の吸着部とするのに最適な部位で、この部位の存在により、組み立て性の向上に寄与することができる。
【００６３】
本発明の別の実施形態を図５に示す。
【００６４】
このソケットは、高さ方向制限部５６及び高さ方向当接部５９、横方向制限部１００及び横方向当接部１１０、縦方向制限部２００及び縦方向当接部２１０の形状のみが前実施形態と異なり、その他の構成は前実施形態と同様となっているので、相違点のみを説明する。
【００６５】
高さ方向制限部５６は、蛍光灯着脱部５０ａの基部５４から横方向（Ｙ方向）に延出された部分の上面からなり、高さ方向当接部５９は、基板固定部５０ｂの連結部５３の両端部から縦方向（Ｘ方向）に延設された部分の高さ方向下面からなる。これら高さ方向制限部５６と高さ方向当接部５９とは、高さ方向に第２高さ方向隙間Ｃ２だけ離間されており、ソケット５０を上方（Ｚ方向）から見て対角の位置に一対配設されている。
【００６６】
横方向制限部１００は、蛍光灯着脱部５０ａの基部５４から横方向に延出され上面が高さ方向制限部５６となる部分を高さ方向に折り曲げ、その折り曲げた部分の幅方向外面からなる。横方向当接部１１０は、基板固定部５０ｂの連結部５３の両端部から縦方向に延設された部分の幅方向内面からなる。これら横方向制限部１００と横方向当接部１１０とは、横方向に横方向隙間ＣＹだけ離間されており、ソケット５０を上方から見て対角の位置に一対配設されている。
【００６７】
縦方向制限部２００は、蛍光灯着脱部５０ａの基部５４から横方向に延出され上面が高さ方向制限部５６となる部分の、縦方向における内側縁面からなる。縦方向当接部２１０は、基板固定部５０ｂの連結部５３から高さ方向（Ｚ方向）の下方に延設された部分の、縦方向における外側縁面からなる。これら縦方向制限部２００と縦方向当接部２１０とは、縦方向に縦方向隙間ＣＴだけ離間されており、ソケット５０を上方から見て対角の位置に一対配設されている。
【００６８】
この実施形態に係るソケットよれば、前実施形態と同様の作用効果を奏する上、前実施形態のソケットよりも縦方向のサイズを小型化できる。
【００６９】
本発明は上記実施形態に限定されるものではない。
【００７０】
本実施形態は、（１）高さ方向制限部５６及び高さ方向当接部５９、（２）横方向制限部１００及び横方向当接部１１０、（３）縦方向制限部２００及び縦方向当接部２１０、を全て備えたソケット５０であるが、上記（１）、（２）、（３）のいずれか一つ又は二つを省略してもよい。可撓部５５の特性がどの方向の剛性が小さいかによって、省略できるものが定まり、剛性が小さい方向の移動制限部材は必要であるが、或る程度の剛性（蛍光灯３０を取り外すときに可撓部５５に塑性変形が生じない程度の剛性）を発揮できる方向の移動制限部材は不要であり、必ずしも三方向全ての移動制限が必要ではないケースも考えられる。
【００７１】
また、リード部５２、保持片５１Ｈ、可撓部５５の数や形状は、適宜変更してよい。蛍光灯３０は、外部電極３２の他に芯線を有してしても構わない。
【図面の簡単な説明】
【００７２】
【図１】本実施形態に係るバックライト用ソケットが実装された回路基板等を示す斜視図である。
【図２】上記バックライト用ソケットに蛍光灯をセットした状態を示す拡大斜視図である。
【図３】上記バックライト用ソケット単体の斜視図である。
【図４】上記バックライト用ソケットを成形すべく打ち抜かれた薄い金属製の板を示す斜視図である。
【図５】別の実施形態に係るバックライト用ソケットの斜視図である。
【符号の説明】
【００７３】
３０  蛍光灯
４０  回路基板
５０  バックライト用ソケット
５０ａ  蛍光灯着脱部
５０ｂ  基板固定部
５３  連結部
５５  可撓部
５６  高さ方向制限部
５９  高さ方向当接部
１００  横方向制限部
１１０  横方向当接部
２００  縦方向制限部
２１０  縦方向当接部
Ｘ  縦方向
Ｙ  横方向
Ｚ  高さ方向
ＣＴ  縦方向隙間
ＣＹ  横方向隙間
Ｃ２  高さ方向隙間としての第２高さ方向隙間
Ｘ３  蛍光灯の軸線
【図１】
2010021107.tif 000003
【図２】
2010021107.tif 000004
【図３】
2010021107.tif 000005
【図４】
2010021107.tif 000006
【図５】
2010021107.tif 000007